【手続補正書】
【提出日】平成23年5月13日(2011.5.13)
【手続補正１】
【補正対象書類名】特許請求の範囲
【補正対象項目名】全文
【補正方法】変更
【補正の内容】
【特許請求の範囲】
【請求項１】
分散型ソーシャルネットワークを提供する方法であって、
複数のユーザメンバーにそれぞれ対応する複数の中核ユーザメンバー識別子を生成するステップと、
複数のソーシャルネットワーキングコミュニティにそれぞれ対応する複数のコミュニティ識別子を生成するステップと、
該複数の中核ユーザメンバー識別子にそれぞれ対応する複数の中核プロファイルを記憶するステップであって、該複数の中核プロファイルの各々は、コミュニティ情報、友達情報、およびコンテンツ情報を含む、ステップと
を含み、該コミュニティ情報は、該複数のコミュニティ識別子のうちの１つ以上を含み、
該友達情報は、該複数の中核ユーザメンバー識別子のうちの１つ以上を含み、
該コンテンツ情報は、複数のコンテンツアイテムの各々に関連するそれぞれのメタデータを含む、
方法。
【請求項２】
前記複数の中核プロファイルのコミュニティ情報は、前記複数のコミュニティ識別子のうちの２つ以上を含む、請求項１に記載の方法。
【請求項３】
コミュニティ情報を中核プロファイルに追加するリクエストを受信するステップであって、該リクエストは、中核メンバー識別子とコミュニティ識別子とを含む、ステップと、
該コミュニティ識別子を含むように、前記中核ユーザメンバー識別子に対応する中核プロファイルのコミュニティ情報を更新するステップと、
該中核ユーザメンバー識別子に対応する該中核プロファイルの更新されたコミュニティ情報を記憶するステップと
をさらに含む、請求項１に記載の方法。
【請求項４】
前記中核ユーザメンバー識別子に対応する、前記中核プロファイルの前記コミュニティ情報の前記複数のコミュニティ識別子のうちの１つ以上を含むウェブページを提供するステップをさらに含む、請求項３に記載の方法。
【請求項５】
前記ウェブページは、
前記中核ユーザメンバー識別子に対応する前記中核プロファイルの前記コミュニティ情報に含まれる、前記複数のコミュニティ識別子のうちの１つ以上にそれぞれ対応する、１つ以上の視覚的アイコンと、
該中核ユーザメンバー識別子に対応する該中核プロファイルの該コミュニティ情報に含まれる、該複数のコミュニティ識別子のうちの１つ以上にそれぞれ対応する、１つ以上のコミュニティ待ち受けウェブページへの１つ以上のリンクと
のうちの１つ以上を含む、請求項４に記載の方法。
【請求項６】
中核ユーザメンバー識別子を受信するステップと、
該中核ユーザメンバー識別子に対応する中核ユーザプロファイルのコンテンツ情報を取り出すステップと、
該中核ユーザメンバー識別子に対応する該中核ユーザプロファイルの友達情報を取り出すステップと、
該中核ユーザメンバー識別子に対応する該中核ユーザプロファイルの該友達情報に含まれる、該複数の中核ユーザメンバー識別子のうちの１つ以上に対応する、１つ以上の中核ユーザプロファイルのコンテンツ情報を取り出すステップと、
該中核ユーザメンバー識別子に対応する該中核ユーザプロファイルの該コンテンツ情報と、該中核ユーザメンバー識別子に対応する該中核ユーザプロファイルの該友達情報に含まれる、該複数の中核ユーザメンバー識別子のうちの１つ以上に対応する１つ以上の中核ユーザプロファイルのコンテンツ情報とを出力するステップと
をさらに含む、請求項１に記載の方法。
【請求項７】
コンテンツアイテムに関連する複数の投票を受信するステップであって、該複数の投票は、第１のソーシャルネットワーキングコミュニティの登録ユーザメンバー、該第１のソーシャルネットワーキングコミュニティとは異なる第２のソーシャルネットワーキングコミュニティの登録ユーザメンバー、および第３のソーシャルネットワーキングコミュニティのウェブページへの未登録訪問者のうちの２つ以上から受信される、ステップと、
該複数の投票の合計を決定するステップと、
該複数の投票の該合計を含むように、該コンテンツアイテムに関連するメタデータを更新するステップと
をさらに含む、請求項１に記載の方法。
【請求項８】
前記複数のコンテンツアイテムの各々に関連するメタデータは、他の中核ユーザメンバー識別子に対応する中核プロファイルのコンテンツ情報に該コンテンツアイテムを追加することができるかどうかを示す許可を含む、請求項１に記載の方法。
【請求項９】
１つ以上のタスクを実施するようにソフトウェアツールを提供するステップをさらに含み、該１つ以上のタスクは、
前記複数のソーシャルネットワーキングコミュニティのうちの１つに対応するウェブサイトを作成するステップ、
既存のメンバーウェブページに情報を追加するステップ、
既存のメンバーウェブページから情報を削除するステップ、
既存のメンバーウェブページの情報を修正するステップ、
外部ウェブサイトから発見された情報が既存のメンバーウェブページ上で体験され得るかどうかを制御するステップ、および
既存のメンバーのウェブページに１つ以上の加入者機能を追加するステップ
のうちの１つ以上を含む、請求項１に記載の方法。
【請求項１０】
前記１つ以上の加入者機能は、
前記メンバーウェブサイト内でテキストコンテンツを検索する機能、
別のメンバーウェブサイト内でテキストコンテンツを検索する機能、
該メンバーウェブサイト内でビデオコンテンツを検索する機能、
別のメンバーウェブサイト内でビデオコンテンツを検索する機能、
該メンバーウェブサイト内でオーディオコンテンツを検索する機能、
別のメンバーウェブサイト内でオーディオコンテンツを検索する機能、
該メンバーウェブサイト内で写真コンテンツを検索する機能、
別のメンバーウェブサイト内で写真コンテンツを検索する機能、
該メンバーウェブサイト内でフィードコンテンツを検索する機能、
別のメンバーウェブサイト内でフィードコンテンツを検索する機能、
該メンバーウェブサイトの加入者の加入者プロファイルを検索する機能、
別のメンバーウェブサイトの加入者の加入者プロファイルを検索する機能、
該メンバーウェブサイトの加入者の間での議論を可能にする機能、
該メンバーウェブサイトの加入者の間での議論を管理する機能、
該メンバーウェブサイトに提示された情報を整理する機能、
該メンバーウェブサイトに提示されるビデオカテゴリを整理する機能、
該メンバーウェブサイトに提示されるオーディオカテゴリを整理する機能、
該メンバーウェブサイトに提示される写真カテゴリを整理する機能、
該メンバーウェブサイトに提示されるフィードカテゴリを整理する機能、
訪問者が該メンバーウェブサイトの加入者になることを可能にする機能、
該メンバーウェブサイトの加入者が、該加入者に対応する加入者プロファイルを作成または編集することを可能にする機能、
該メンバーウェブサイトの加入者が、該メンバーウェブサイトの他の加入者の加入者プロファイルを閲覧することを可能にする機能、
該メンバーウェブサイトの加入者が、該加入者に対応する加入者プロファイルで１人以上の友達を指定することを可能にする機能、
コンテンツが該メンバーウェブサイトの別の加入者によって体験され得るように、該メンバーウェブサイトの加入者が、コンテンツを該メンバーウェブサイトに追加することを可能にする機能、
メッセージが該メンバーウェブサイトの加入者の間で送信されることを可能にする機能、
メッセージが該メンバーウェブサイトの加入者と別のメンバーウェブサイトの加入者との間で送信されることを可能にする機能、および
該メンバーウェブサイトの加入者が、該メンバーウェブサイトからのコンテンツを体験することを可能にする機能であって、該コンテンツは、テキストコンテンツ、ビデオコンテンツ、オーディオコンテンツ、写真コンテンツおよびフィードコンテンツの任意の組み合わせを含む機能
のうちの１つ以上を含む、請求項９に記載の方法。
【請求項１１】
前記複数のコミュニティ識別子にそれぞれ対応する複数のコミュニティプロファイルを記憶するステップをさらに含み、
該複数のコミュニティプロファイルの各々は、前記複数のソーシャルネットワーキングコミュニティのうちの１つに対する、ウェブページビューレポート、ユーザアクティビティレポート、収益レポート、および最も人気のあるコンテンツレポートのうちの少なくとも１つを含む、
請求項１に記載の方法。
【請求項１２】
中核プロファイルにコンテンツアイテム情報を追加するリクエストを受信するステップであって、該リクエストは、中核メンバー識別子とコンテンツアイテムに関連するコンテンツアイテム情報とを含む、ステップと、
該リクエストの該コンテンツアイテム情報を含むように、該中核ユーザメンバー識別子に対応する中核プロファイルのコンテンツ情報を更新するステップと、
該中核ユーザメンバー識別子に対応する該中核プロファイルの更新されたコンテンツ情報を記憶するステップと
をさらに含む、請求項１に記載の方法。
【請求項１３】
前記コンテンツアイテムがある区分のユーザメンバーにより体験されるために好適であるかどうかを決定するステップと、
該コンテンツアイテムが該区分のユーザメンバーにより体験されるために好適であると決定された場合、前記リクエストの前記コンテンツアイテム情報を含むように、前記中核ユーザメンバー識別子に対応する前記中核プロファイルの前記コンテンツ情報を更新するステップと、
該コンテンツアイテムが該区分のユーザメンバーにより体験されるために好適であると決定された場合、該中核ユーザメンバー識別子に対応する該中核プロファイルの更新されたコンテンツ情報を記憶するステップと
をさらに含む、請求項９に記載の方法。
【請求項１４】
前記コンテンツアイテムが前記区分のユーザメンバーにより体験されるために好適ではないと決定された場合、前記リクエストの前記コンテンツアイテム情報は、前記中核ユーザメンバー識別子に対応する前記中核プロファイルのコンテンツ情報から除外される、請求項１０に記載の方法。
【請求項１５】
前記コンテンツアイテムは、テキストコンテンツアイテム、ビデオコンテンツアイテム、オーディオコンテンツアイテム、および写真コンテンツアイテムのうちの１つである、請求項９に記載の方法。
【請求項１６】
コンテンツ情報を整理するリクエストを受信するステップであって、該リクエストは、中核ユーザメンバー識別子と、前記複数のコンテンツアイテムのうちの少なくとも１つに関連する視覚的レイアウトを特定する命令とを含む、ステップと、
該リクエストに基づいて、該中核ユーザメンバー識別子に対応する中核プロファイルのコンテンツ情報を更新するステップと、
該リクエストに基づいて、該中核ユーザメンバー識別子に対応する該中核プロファイルの該更新されたコンテンツ情報を記憶するステップと
をさらに含む、請求項１に記載の方法。
【請求項１７】
コンテンツ情報を更新するリクエストを受信するステップであって、該リクエストは、中核ユーザメンバー識別子と、前記複数のコンテンツアイテムのうちの少なくとも１つに関連するメタデータを更新する命令とを含む、ステップと、
該リクエストに基づいて、該中核ユーザメンバー識別子に対応する中核プロファイルのコンテンツ情報を更新するステップと、
該リクエストに基づいて、該中核ユーザメンバー識別子に対応する該中核プロファイルの該更新されたコンテンツ情報を記憶するステップと
をさらに含む、請求項１に記載の方法。
【請求項１８】
コンテンツ情報を整理するリクエストを受信するステップであって、該リクエストは、コミュニティメンバー識別子と、前記複数のコンテンツアイテムのうちの少なくとも１つに関連する視覚的レイアウトを特定する命令とを含む、ステップと、
該リクエストに基づいて、該コミュニティ識別子に対応するコミュニティプロファイルのコンテンツ情報を更新するステップと、
該リクエストに基づいて、該コミュニティ識別子に対応する該コミュニティプロファイルの該更新されたコンテンツ情報を記憶するステップと
をさらに含む、請求項１に記載の方法。
【請求項１９】
コンテンツ情報を整理するリクエストを受信するステップであって、該リクエストは、コミュニティメンバー識別子と、少なくとも１つのコンテンツアイテムに関連するコンテンツ情報を更新する命令とを含む、ステップと、
該リクエストに基づいて、該コミュニティ識別子に対応するコミュニティプロファイルのコンテンツ情報を更新するステップと、
該リクエストに基づいて該コミュニティ識別子に対応する該コミュニティプロファイルの該更新されたコンテンツ情報を記憶するステップと
をさらに含む、請求項１に記載の方法。
【請求項２０】
前記コミュニティ識別子に対応する前記コミュニティプロファイルは、コンテンツ情報をユーザメンバーによって整理することができるどうかを示す許可を含み、
コンテンツ情報の前記更新は、該コンテンツ情報をユーザメンバーによって整理することができると該許可が示す場合に発生する、
請求項１に記載の方法。
【請求項２１】
中核ユーザメンバーに対応する中核プロファイルのコンテンツ情報を取り出すステップであって、該中核プロファイルのコミュニティ情報は、前記ネットワークの第１のソーシャルネットワーキングコミュニティに対応する第１のコミュニティ識別子を含む、ステップと、
該コンテンツ情報に対応するコンテンツアイテムを取り出すステップと、
該コンテンツアイテムを含むウェブページを提供するステップであって、該ウェブページは、該第１のソーシャルネットワーキングコミュニティとは異なる第２のソーシャルネットワーキングコミュニティに関連する、ステップと
をさらに含む、請求項１に記載の方法。
【請求項２２】
プロセッサと、該プロセッサに分散型ソーシャルネットワークを提供させるための制御論理を記憶するメモリとを含むコンピュータシステムであって、該制御論理は、
該プロセッサに、複数のユーザメンバーにそれぞれ対応する複数の中核ユーザメンバー識別子を生成させるための第１のコンピュータ読み取り可能プログラムコードと、
該プロセッサに、複数のソーシャルネットワーキングコミュニティにそれぞれ対応する複数のコミュニティ識別子を生成させるための第２のコンピュータ読み取り可能プログラムコードと、
該プロセッサに、複数の中核ユーザメンバー識別子にそれぞれ対応する複数の中核プロファイルを記憶させるための第３のコンピュータ読み取り可能プログラムコードであって、該複数の中核プロファイルの各々は、コミュニティ情報、友達情報、およびコンテンツ情報を含む、第３のコンピュータ読み取り可能プログラムコードと
を備え、
該コミュニティ情報は、該複数のコミュニティ識別子のうちの１つ以上を含み、
該友達情報は、該複数の中核ユーザメンバー識別子のうちの１つ以上を含み、
該コンテンツ情報は、複数のコンテンツアイテムの各々に関連するそれぞれのメタデータを含む、
コンピュータシステム。
【請求項２３】
ソーシャルネットワーキングコミュニティ内で共有されるコンテンツアイテムのフィードを作成する方法であって、
フィードを作成するリクエストをサーバで受信するステップであって、該リクエストは、ソーシャルネットワーキングコミュニティの登録メンバーから受信される、ステップと、
該フィードを提示するための情報を該サーバで受信するステップであって、該情報は、タイトル、視覚的アイコン、説明およびフラグのうちの少なくとも１つを含む、ステップと、
該サーバによりアクセス可能なデータベースに、該フィードを提示するための該情報を記憶するステップと、
該フィードにコンテンツアイテムを追加する複数のリクエストを該サーバで受信するステップであって、該複数のリクエストは、テキストコンテンツアイテム、ビデオコンテンツアイテム、オーディオコンテンツアイテム、および写真コンテンツアイテム、のうちの１つ以上の任意の組み合わせを含む、ステップと、
該データベースに、該フィードと関連し、かつ該登録メンバーと関連して、該複数のリクエストに含まれる各コンテンツアイテムを記憶するステップであって、各コンテンツアイテムは、該ソーシャルネットワーキングコミュニティへの訪問者が体験するための所望のコンテンツを産出するように該サーバにより使用可能である、ステップと、
各コンテンツアイテムに対して、タイトル、視覚的アイコン、説明、およびフラグのうち少なくとも１つを表示する、フィード提示を含むウェブページを提供するステップと
を含む、方法。
【請求項２４】
前記フィードは、コミュニティフィードであって、
該コミュニティフィードを作成する前記リクエストは、前記ソーシャルネットワーキングコミュニティの登録発行元メンバーから受信される、
請求項２３に記載の方法。
【請求項２５】
前記フィードは、ユーザメンバーフィードであって、
該ユーザメンバーフィードを作成する前記リクエストは、前記ソーシャルネットワーキングコミュニティの登録ユーザメンバーから受信される、
請求項２３に記載の方法。
【請求項２６】
少なくとも１つのコンテンツアイテムは、前記訪問者が体験するための所望のコンテンツを産出する外部サーバへのリンク、友達ユーザメンバーに関連するサムネイル画像、友達ユーザメンバーに関連する表示名、プレイリスト、フォトアルバム、または音楽アルバムである、請求項２３に記載の方法。
【請求項２７】
前記ソーシャルネットワーキングコミュニティに対応する複数のコミュニティフィードを提示するための情報を前記データベースに記憶するステップをさらに含む、請求項２４に記載の方法。
【請求項２８】
前記フィードの各コンテンツアイテムに対して、指定のカテゴリに属するユーザが前記コンテンツアイテムを体験することを許容されているかどうかを決定するために使用されるフラグを、前記データベースに記憶するステップをさらに含む、請求項２３に記載の方法。
【請求項２９】
前記ウェブページ内にマルチメディアレンダラを提供するステップであって、該マルチメディアレンダラは、ユーザが前記コンテンツアイテムを体験し得るように、前記フィードのコンテンツアイテムを処理するように構成される、ステップをさらに含む、請求項２３に記載の方法。
【請求項３０】
前記フィードのコンテンツアイテムのタイトル、視覚的アイコン、または説明が選択されると、該フィードからの情報を外部マルチメディアレンダラに転送するステップをさらに含む、請求項２３に記載の方法。
【請求項３１】
コンテンツアイテムを更新されたバージョンの該コンテンツアイテムと置き換えることにより、前記データベースに記憶された該コンテンツアイテムを更新するステップをさらに含む、請求項２３に記載の方法。
【請求項３２】
コンテンツアイテムを追加する前記複数のリクエストのうちの１つを前記サーバで受信させる、ブックマークレットを提供するステップをさらに含む、請求項２３に記載の方法。
【請求項３３】
プロセッサと、該プロセッサにソーシャルネットワーキングコミュニティのネットワーク内で共有されるコンテンツアイテムのフィードを作成させるための制御論理を記憶するメモリとを含むコンピュータシステムであって、該制御論理は、
該プロセッサに、フィードを作成するリクエストをサーバで受信させるための第１のコンピュータ読み取り可能プログラムコードであって、該リクエストは、ソーシャルネットワーキングコミュニティの登録メンバーから受信される、第１のコンピュータ読み取り可能プログラムコードと、
該プロセッサに、該フィードを提示するための情報を該サーバで受信させるための第２のコンピュータ読み取り可能プログラムコードであって、該情報は、タイトル、視覚的アイコン、説明およびフラグのうちの少なくとも１つを含む、第２のコンピュータ読み取り可能プログラムコードと、
該プロセッサに、該フィードを提示するための該情報を、該サーバによりアクセス可能なデータベースに記憶させるための第３のコンピュータ読み取り可能プログラムコードと、
該プロセッサに、該フィードにコンテンツアイテムを追加する複数のリクエストを該サーバで受信させるための第４のコンピュータ読み取り可能プログラムであって、該複数のリクエストは、テキストコンテンツアイテム、ビデオコンテンツアイテム、オーディオコンテンツアイテム、および写真コンテンツアイテム、のうちの１つ以上の任意の組み合わせを含む、第４のコンピュータ読み取り可能プログラムと、
該プロセッサに、該複数のリクエストに含まれる各コンテンツアイテムを、該データベースに、該フィードと関連し、かつ該登録メンバーと関連して記憶させるための第５のコンピュータ読み取り可能プログラムコードであって、各コンテンツアイテムは、該ソーシャルネットワーキングコミュニティへの訪問者が体験する所望のコンテンツを産出するように該サーバにより使用可能である、第５のコンピュータ読み取り可能プログラムコードと、
該プロセッサに、各コンテンツアイテムに対して、発明の名称、視覚的アイコン、説明、およびフラグのうちの少なくとも１つを表示する、フィード提示を含むウェブページを提供させるための第６のコンピュータ読み取り可能プログラムコードと
を備える、
コンピュータシステム。
【請求項３４】
コミュニティ情報に対するリクエストを受信することであって、該リクエストは、中核メンバー識別子を含む、ことと、
該中核メンバー識別子に対応する中核プロフィールのコミュニティ情報を取り出すことと、
該中核メンバー識別子に対応する該中核プロフィールのコミュニティ情報の複数のコミュニティ識別子のうちの１つ以上を提供することと
をさらに包含する、請求項１に記載の方法。
【手続補正２】
【補正対象書類名】明細書
【補正対象項目名】００５７
【補正方法】変更
【補正の内容】
【００５７】
本発明の特徴および利点は、図面とともに検討されると以下に記載の発明を実施するための形態から一層明確になる。図面中、同様な参照番号は同一または機能的に類似の要素を示す。
例えば、本発明は以下の項目を提供する。
（項目１）
ソーシャルネットワーキングコミュニティのネットワーク内で収益を共有するための方法であって、
ソーシャルネットワーキングコミュニティに関連する複数のウェブページを提供するステップと、
第１組の該複数のウェブページから生成される収益に基づいて第１の金額を決定するステップと、
該ソーシャルネットワーキングコミュニティに関連する発行元メンバーに該第１の金額の第１の部分を支払うステップと、
該ネットワークの中核ソーシャルネットワーキングコミュニティに関連するビジネスユニットに該第１の金額の第２の部分を支払うステップと
を含む、方法。
（項目２）
第２組の上記複数のウェブページから生成される収益に基づいて第２の金額を決定するステップと、
上記ソーシャルネットワーキングコミュニティに関連する上記発行元メンバーに該第２の金額を支払うステップと
をさらに含む、項目１に記載の方法。
（項目３）
第２組の上記複数のウェブページから生成される収益に基づいて第２の金額を決定するステップと、
上記ソーシャルネットワーキングコミュニティに関連する上記発行元メンバーに該第２の金額の第１の部分を支払うステップと、
上記中核ソーシャルネットワーキングコミュニティに関連する上記ビジネスユニットに該第２の金額の第２の部分を支払うステップと
をさらに含む、項目１に記載の方法。
（項目４）
上記中核ソーシャルネットワーキングコミュニティに関連するウェブサーバから上記第１組の複数のウェブページをホストするステップと、
上記ソーシャルネットワーキングコミュニティに関連するウェブサーバから第２組の上記複数のウェブページをホストするステップと
をさらに含む、項目１に記載の方法。
（項目５）
上記中核ソーシャルネットワーキングコミュニティに関連するウェブサーバから上記複数のウェブページをホストするステップをさらに含む、項目１に記載の方法。
（項目６）
上記第１組の上記複数のウェブページは、複数のウィジェットを含む、項目１に記載の方法。
（項目７）
上記第１組の上記複数のウェブページは、上記ソーシャルネットワーキングコミュニティ用の待ち受けウェブページ、ビデオカテゴリ用のウェブページ、ビデオ検索結果用のウェブページ、写真カテゴリ用のウェブページ、写真検索結果用のウェブページ、該ソーシャルネットワーキングコミュニティのネットワークのユーザメンバーを検索または閲覧するためのウェブページ、掲示板用のウェブページ、該ソーシャルネットワーキングコミュニティに参加またはサインインするためのウェブページ、該ソーシャルネットワーキングコミュニティから表示されるコンテンツアイテムに関連する詳細用のウェブページ、およびコンテンツフィードに関連する詳細用のウェブページのうちの少なくとも１つを含む、項目１に記載の方法。
（項目８）
上記第１組の上記複数のウェブページから生成される上記収益は、広告収益である、項目１に記載の方法。
（項目９）
上記第１組の上記複数のウェブページから生成される上記収益は、売上収益である、項目１に記載の方法。
（項目１０）
上記第１組の上記複数のウェブページから生成される上記収益は、該複数のウェブページのうちの１つ以上のウェブページに対するリクエスト数に基づく、項目１に記載の方法。
（項目１１）
上記ネットワークの上記ソーシャルネットワーキングコミュニティがアプリケーションプログラミングインターフェースを利用することを可能にするステップをさらに含み、
上記第１組の上記複数のウェブページから生成される上記収益は、該アプリケーションプログラミングインターフェースへの呼び出し数に基づく、項目１に記載の方法。
（項目１２）
プロセッサと、該プロセッサにソーシャルネットワーキングコミュニティネットワーク内で収益を共有させるための制御論理を記憶するメモリとを含むコンピュータシステムであって、該制御論理は、
該プロセッサにソーシャルネットワーキングコミュニティに関連する複数のウェブページを提供させるための第１のコンピュータ可読プログラムコードと、
第１組の該複数のウェブページから生成される収益に基づいて、該プロセッサに第１の金額を決定させるための第２のコンピュータ可読プログラムコードと、
該プロセッサに該ソーシャルネットワーキングコミュニティに関連する発行元メンバーへ該第１の金額の第１の部分を支払わせるための第３のコンピュータ可読プログラムコードと、
該プロセッサに該ネットワークの中核ソーシャルネットワーキングコミュニティに関連するビジネスユニットへ該第１の金額の第２の部分を支払わせるための第４のコンピュータ可読プログラムコードと
を備える、コンピュータシステム。
（項目１３）
分散型ソーシャルネットワークを提供する方法であって、
複数のユーザメンバーにそれぞれ対応する複数の中核ユーザメンバー識別子を生成するステップと、
複数のソーシャルネットワーキングコミュニティにそれぞれ対応する複数のコミュニティ識別子を生成するステップと、
該複数の中核ユーザメンバー識別子にそれぞれ対応する複数の中核プロファイルを記憶するステップであって、該複数の中核プロファイルの各々は、コミュニティ情報、友達情報、およびコンテンツ情報を含む、ステップと
を含み、該コミュニティ情報は、該複数のコミュニティ識別子のうちの１つ以上を含み、
該友達情報は、該複数の中核ユーザメンバー識別子のうちの１つ以上を含み、
該コンテンツ情報は、複数のコンテンツアイテムの各々に関連するそれぞれのメタデータを含む、
方法。
（項目１４）
上記複数の中核プロファイルのコミュニティ情報は、上記複数のコミュニティ識別子のうちの２つ以上を含む、項目１３に記載の方法。
（項目１５）
コミュニティ情報を中核プロファイルに追加するリクエストを受信するステップであって、該リクエストは、中核メンバー識別子とコミュニティ識別子とを含む、ステップと、
該コミュニティ識別子を含むように、上記中核ユーザメンバー識別子に対応する中核プロファイルのコミュニティ情報を更新するステップと、
該中核ユーザメンバー識別子に対応する該中核プロファイルの更新されたコミュニティ情報を記憶するステップと
をさらに含む、項目１３に記載の方法。
（項目１５）
コミュニティ情報に対するリクエストを受信するステップであって、該リクエストは、中核メンバー識別子を含む、ステップと、
該中核ユーザメンバー識別子に対応する中核プロファイルのコミュニティ情報を取り出すステップと、
該中核ユーザメンバー識別子に対応する該中核プロファイルの該コミュニティ情報の上記複数のコミュニティ識別子のうちの１つ以上を提供するステップと
をさらに含む、項目１３に記載の方法。
（項目１６）
上記中核ユーザメンバー識別子に対応する、上記中核プロファイルの上記コミュニティ情報の上記複数のコミュニティ識別子のうちの１つ以上を含むウェブページを提供するステップをさらに含む、項目１５に記載の方法。
（項目１７）
上記ウェブページは、
上記中核ユーザメンバー識別子に対応する上記中核プロファイルの上記コミュニティ情報に含まれる、上記複数のコミュニティ識別子のうちの１つ以上にそれぞれ対応する、１つ以上の視覚的アイコンと、
該中核ユーザメンバー識別子に対応する該中核プロファイルの該コミュニティ情報に含まれる、該複数のコミュニティ識別子のうちの１つ以上にそれぞれ対応する、１つ以上のコミュニティ待ち受けウェブページへの１つ以上のリンクと
のうちの１つ以上を含む、項目１６に記載の方法。
（項目１８）
中核ユーザメンバー識別子を受信するステップと、
該中核ユーザメンバー識別子に対応する中核ユーザプロファイルのコンテンツ情報を取り出すステップと、
該中核ユーザメンバー識別子に対応する該中核ユーザプロファイルの友達情報を取り出すステップと、
該中核ユーザメンバー識別子に対応する該中核ユーザプロファイルの該友達情報に含まれる、該複数の中核ユーザメンバー識別子のうちの１つ以上に対応する、１つ以上の中核ユーザプロファイルのコンテンツ情報を取り出すステップと、
該中核ユーザメンバー識別子に対応する該中核ユーザプロファイルの該コンテンツ情報と、該中核ユーザメンバー識別子に対応する該中核ユーザプロファイルの該友達情報に含まれる、該複数の中核ユーザメンバー識別子のうちの１つ以上に対応する１つ以上の中核ユーザプロファイルのコンテンツ情報とを出力するステップと
をさらに含む、項目１３に記載の方法。
（項目１９）
中核ユーザメンバー識別子と対応する複数のメッセージを記憶するステップをさらに含み、
該複数のメッセージのうちの第１のメッセージは、上記ネットワークの第１のソーシャルネットワーキングコミュニティの第１のユーザメンバーの第１の送信者識別子を含み、
該複数のメッセージのうちの第２のメッセージは、該ネットワークの第２のソーシャルネットワーキングコミュニティの第２のユーザメンバーの第２の送信者識別子を含み、該第２のソーシャルネットワーキングコミュニティは、該第１のソーシャルネットワーキングコミュニティとは異なる、
項目１３に記載の方法。（項目２０）
上記複数の中核プロファイルのうちの少なくとも１つの友達情報は、第１のコミュニティ識別子に関連する第１の中核ユーザメンバー識別子と、該第１のコミュニティ識別子とは異なる第２のコミュニティ識別子に関連する第２の中核ユーザメンバー識別子とを含む、少なくとも２つの中核ユーザメンバー識別子を含む、項目１３に記載の方法。
（項目２１）
該ソーシャルネットワーキングコミュニティのネットワーク内で、該ネットワークの第１のソーシャルネットワーキングコミュニティの第１のユーザメンバーから、該ネットワークの第２のソーシャルネットワーキングコミュニティの第２のユーザメンバーに電子的にコンテンツアイテムをメール送信するステップであって、該第１のソーシャルネットワーキングコミュニティは、該第２のソーシャルネットワーキングコミュニティとは異なる、ステップと、
該コンテンツアイテムを含むウェブページを提供するステップであって、該ウェブページは、該第２のソーシャルネットワーキングコミュニティに関連する、ステップと
をさらに含む、項目１３に記載の方法。
（項目２２）
コンテンツアイテムに関連する複数の投票を受信するステップであって、該複数の投票は、第１のソーシャルネットワーキングコミュニティの登録ユーザメンバー、該第１のソーシャルネットワーキングコミュニティとは異なる第２のソーシャルネットワーキングコミュニティの登録ユーザメンバー、および第３のソーシャルネットワーキングコミュニティのウェブページへの未登録訪問者のうちの２つ以上から受信される、ステップと、
該複数の投票の合計を決定するステップと、
該複数の投票の該合計を含むように、該コンテンツアイテムに関連するメタデータを更新するステップと
をさらに含む、項目１３に記載の方法。
（項目２３）
上記複数のコンテンツアイテムの各々に関連するメタデータは、他の中核ユーザメンバー識別子に対応する中核プロファイルのコンテンツ情報に該コンテンツアイテムを追加することができるかどうかを示す許可を含む、項目１３に記載の方法。
（項目２４）
１つ以上のタスクを実施するようにソフトウェアツールを提供するステップをさらに含み、該１つ以上のタスクは、
上記複数のソーシャルネットワーキングコミュニティのうちの１つに対応するウェブサイトを作成するステップ、
既存のメンバーウェブページに情報を追加するステップ、
既存のメンバーウェブページから情報を削除するステップ、
既存のメンバーウェブページの情報を修正するステップ、
外部ウェブサイトから発見された情報が既存のメンバーウェブページ上で体験され得るかどうかを制御するステップ、および
既存のメンバーのウェブページに１つ以上の加入者機能を追加するステップ
のうちの１つ以上を含む、項目１３に記載の方法。
（項目２５）
上記１つ以上の加入者機能は、
上記メンバーウェブサイト内でテキストコンテンツを検索する機能、
別のメンバーウェブサイト内でテキストコンテンツを検索する機能、
該メンバーウェブサイト内でビデオコンテンツを検索する機能、
別のメンバーウェブサイト内でビデオコンテンツを検索する機能、
該メンバーウェブサイト内でオーディオコンテンツを検索する機能、
別のメンバーウェブサイト内でオーディオコンテンツを検索する機能、
該メンバーウェブサイト内で写真コンテンツを検索する機能、
別のメンバーウェブサイト内で写真コンテンツを検索する機能、
該メンバーウェブサイト内でフィードコンテンツを検索する機能、
別のメンバーウェブサイト内でフィードコンテンツを検索する機能、
該メンバーウェブサイトの加入者の加入者プロファイルを検索する機能、
別のメンバーウェブサイトの加入者の加入者プロファイルを検索する機能、
該メンバーウェブサイトの加入者の間での議論を可能にする機能、
該メンバーウェブサイトの加入者の間での議論を管理する機能、
該メンバーウェブサイトに提示された情報を整理する機能、
該メンバーウェブサイトに提示されるビデオカテゴリを整理する機能、
該メンバーウェブサイトに提示されるオーディオカテゴリを整理する機能、
該メンバーウェブサイトに提示される写真カテゴリを整理する機能、
該メンバーウェブサイトに提示されるフィードカテゴリを整理する機能、
訪問者が該メンバーウェブサイトの加入者になることを可能にする機能、
該メンバーウェブサイトの加入者が、該加入者に対応する加入者プロファイルを作成または編集することを可能にする機能、
該メンバーウェブサイトの加入者が、該メンバーウェブサイトの他の加入者の加入者プロファイルを閲覧することを可能にする機能、
該メンバーウェブサイトの加入者が、該加入者に対応する加入者プロファイルで１人以上の友達を指定することを可能にする機能、
コンテンツが該メンバーウェブサイトの別の加入者によって体験され得るように、該メンバーウェブサイトの加入者が、コンテンツを該メンバーウェブサイトに追加することを可能にする機能、
メッセージが該メンバーウェブサイトの加入者の間で送信されることを可能にする機能、
メッセージが該メンバーウェブサイトの加入者と別のメンバーウェブサイトの加入者との間で送信されることを可能にする機能、および
該メンバーウェブサイトの加入者が、該メンバーウェブサイトからのコンテンツを体験することを可能にする機能であって、該コンテンツは、テキストコンテンツ、ビデオコンテンツ、オーディオコンテンツ、写真コンテンツおよびフィードコンテンツの任意の組み合わせを含む機能
のうちの１つ以上を含む、項目２４に記載の方法。
（項目２６）
認証リクエストを受信するステップであって、該認証リクエストは、中核ユーザメンバー情報を含む、ステップと、
該中核ユーザメンバー情報に対応する中核ユーザメンバー識別子を取り出すステップと、
認証クッキーを提供するステップであって、該認証クッキーは該中核ユーザメンバー識別子を含む、ステップと
をさらに含む、項目１３に記載の方法。
（項目２７）
中核ユーザメンバー識別子に対応する中核プロファイルのコミュニティ情報に含まれる、上記複数のコミュニティ識別子のうちの１つ以上にそれぞれ対応する、１つ以上のコミュニティ特有の表示名を記憶するステップをさらに含む、項目１３に記載の方法。
（項目２８）
上記複数のコミュニティ識別子にそれぞれ対応する複数のコミュニティプロファイルを記憶するステップをさらに含み、
該複数のコミュニティプロファイルの各々は、上記複数のソーシャルネットワーキングコミュニティのうちの１つに対する、ウェブページビューレポート、ユーザアクティビティレポート、収益レポート、および最も人気のあるコンテンツレポートのうちの少なくとも１つを含む、
項目１３に記載の方法。
（項目２９）
中核プロファイルにコンテンツアイテム情報を追加するリクエストを受信するステップであって、該リクエストは、中核メンバー識別子とコンテンツアイテムに関連するコンテンツアイテム情報とを含む、ステップと、
該リクエストの該コンテンツアイテム情報を含むように、該中核ユーザメンバー識別子に対応する中核プロファイルのコンテンツ情報を更新するステップと、
該中核ユーザメンバー識別子に対応する該中核プロファイルの更新されたコンテンツ情報を記憶するステップと
をさらに含む、項目１３に記載の方法。
（項目３０）
上記コンテンツアイテムがある区分のユーザメンバーにより体験されるために好適であるかどうかを決定するステップと、
該コンテンツアイテムが該区分のユーザメンバーにより体験されるために好適であると決定された場合、上記リクエストの上記コンテンツアイテム情報を含むように、上記中核ユーザメンバー識別子に対応する上記中核プロファイルの上記コンテンツ情報を更新するステップと、
該コンテンツアイテムが該区分のユーザメンバーにより体験されるために好適であると決定された場合、該中核ユーザメンバー識別子に対応する該中核プロファイルの更新されたコンテンツ情報を記憶するステップと
をさらに含む、項目２４に記載の方法。
（項目３１）
上記コンテンツアイテムが上記区分のユーザメンバーにより体験されるために好適ではないと決定された場合、上記リクエストの上記コンテンツアイテム情報は、上記中核ユーザメンバー識別子に対応する上記中核プロファイルのコンテンツ情報から除外される、項目２５に記載の方法。
（項目３２）
上記コンテンツアイテムは、テキストコンテンツアイテム、ビデオコンテンツアイテム、オーディオコンテンツアイテム、および写真コンテンツアイテムのうちの１つである、項目２４に記載の方法。
（項目３３）
コンテンツ情報を整理するリクエストを受信するステップであって、該リクエストは、中核ユーザメンバー識別子と、上記複数のコンテンツアイテムのうちの少なくとも１つに関連する視覚的レイアウトを特定する命令とを含む、ステップと、
該リクエストに基づいて、該中核ユーザメンバー識別子に対応する中核プロファイルのコンテンツ情報を更新するステップと、
該リクエストに基づいて、該中核ユーザメンバー識別子に対応する該中核プロファイルの該更新されたコンテンツ情報を記憶するステップと
をさらに含む、項目１３に記載の方法。
（項目３４）
コンテンツ情報を更新するリクエストを受信するステップであって、該リクエストは、中核ユーザメンバー識別子と、上記複数のコンテンツアイテムのうちの少なくとも１つに関連するメタデータを更新する命令とを含む、ステップと、
該リクエストに基づいて、該中核ユーザメンバー識別子に対応する中核プロファイルのコンテンツ情報を更新するステップと、
該リクエストに基づいて、該中核ユーザメンバー識別子に対応する該中核プロファイルの該更新されたコンテンツ情報を記憶するステップと
をさらに含む、項目１３に記載の方法。
（項目３５）
上記複数のコミュニティ識別子にそれぞれ対応する複数のコミュニティプロファイルを記憶するステップであって、該複数のコミュニティ識別子の各々は、コンテンツ情報を含み、該コンテンツ情報は、複数のコンテンツアイテムの各々に関連するメタデータを含む、ステップと、
コミュニティプロファイルにコンテンツアイテム情報を追加するリクエストを受信するステップであって、該リクエストは、コミュニティ識別子と、コンテンツアイテムに関連するコンテンツアイテム情報とを含む、ステップと、
該コンテンツアイテム情報を含むように、該コミュニティ識別子に対応する該コミュニティプロファイルのコンテンツ情報を更新するステップと、
該コミュニティ識別子に対応する該コミュニティプロファイルの更新されたコンテンツ情報を記憶するステップと
をさらに含む、項目１３に記載の方法。
（項目３６）
上記コンテンツアイテムがある区分のユーザメンバーにより体験されるために好適であるかどうかを決定するステップと、
該コンテンツアイテムが該区分のユーザメンバーにより体験されるために好適であると決定された場合、上記コンテンツアイテム情報を含むように、上記コミュニティ識別子に対応する上記コミュニティプロファイルの該コンテンツ情報を更新するステップと、
該コンテンツアイテムが該区分のユーザメンバーにより体験されるために好適であると決定された場合、該コミュニティ識別子に対応する該コミュニティプロファイルの更新されたコンテンツ情報を記憶するステップと
をさらに含む、項目３５に記載の方法。
（項目３７）
上記コンテンツアイテムが上記区分のユーザメンバーにより体験されるために好適ではないと決定された場合、上記コンテンツアイテム情報は、上記中核ユーザメンバー識別子に対応する上記中核プロファイルのコンテンツ情報から除外される、項目３６に記載の方法。
（項目３８）
コンテンツ情報を整理するリクエストを受信するステップであって、該リクエストは、コミュニティメンバー識別子と、上記複数のコンテンツアイテムのうちの少なくとも１つに関連する視覚的レイアウトを特定する命令とを含む、ステップと、
該リクエストに基づいて、該コミュニティ識別子に対応するコミュニティプロファイルのコンテンツ情報を更新するステップと、
該リクエストに基づいて、該コミュニティ識別子に対応する該コミュニティプロファイルの該更新されたコンテンツ情報を記憶するステップと
をさらに含む、項目３５に記載の方法。
（項目３９）
コンテンツ情報を整理するリクエストを受信するステップであって、該リクエストは、コミュニティメンバー識別子と、少なくとも１つのコンテンツアイテムに関連するコンテンツ情報を更新する命令とを含む、ステップと、
該リクエストに基づいて、該コミュニティ識別子に対応するコミュニティプロファイルのコンテンツ情報を更新するステップと、
該リクエストに基づいて該コミュニティ識別子に対応する該コミュニティプロファイルの該更新されたコンテンツ情報を記憶するステップと
をさらに含む、項目３５に記載の方法。
（項目４０）
上記コミュニティ識別子に対応する上記コミュニティプロファイルは、コンテンツ情報をユーザメンバーによって整理することができるどうかを示す許可を含み、
コンテンツ情報の上記更新は、該コンテンツ情報をユーザメンバーによって整理することができると該許可が示す場合に発生する、
項目３５に記載の方法。
（項目４１）
上記コミュニティ識別子に対応する上記コミュニティプロファイルは、コンテンツ情報をユーザメンバーによって更新することができるかどうかを示す許可を含み、
コンテンツ情報の上記更新は、該コンテンツ情報をユーザメンバーによって更新することができると該許可が示す場合に発生する、
項目３５に記載の方法。
（項目４２）
上記ネットワークの第１のソーシャルネットワーキングコミュニティにログインしたユーザメンバーが、該ネットワークの第２のソーシャルネットワーキングコミュニティにログインした別のユーザメンバーと通信することを可能にするステップをさらに含む、項目１３に記載の方法。
（項目４３）
中核ユーザメンバーに対応する中核プロファイルのコンテンツ情報を取り出すステップであって、該中核プロファイルのコミュニティ情報は、上記ネットワークの第１のソーシャルネットワーキングコミュニティに対応する第１のコミュニティ識別子を含む、ステップと、
該コンテンツ情報に対応するコンテンツアイテムを取り出すステップと、
該コンテンツアイテムを含むウェブページを提供するステップであって、該ウェブページは、該第１のソーシャルネットワーキングコミュニティとは異なる第２のソーシャルネットワーキングコミュニティに関連する、ステップと
をさらに含む、項目１３に記載の方法。
（項目４４）
上記複数のコミュニティ識別子にそれぞれ対応する複数のコミュニティプロファイルを記憶するステップであって、該複数のコミュニティプロファイルの各々は、コンテンツ情報を含み、
上記ネットワークの第１のソーシャルネットワーキングコミュニティの第１のコミュニティ識別子に対応するコミュニティプロファイルのコンテンツ情報は、コンテンツアイテムに関連するコンテンツアイテム情報を含む、ステップと、
該コンテンツアイテム情報に関連する該コンテンツアイテムを取り出すステップと、
該コンテンツアイテムを含むウェブページを提供するステップであって、該ウェブページは、該第１のソーシャルネットワーキングコミュニティとは異なる第２のソーシャルネットワーキングコミュニティに関連する、ステップと
をさらに含む、項目１３に記載の方法。
（項目４５）
プロセッサと、該プロセッサに分散型ソーシャルネットワークを提供させるための制御論理を記憶するメモリとを含むコンピュータシステムであって、該制御論理は、
該プロセッサに、複数のユーザメンバーにそれぞれ対応する複数の中核ユーザメンバー識別子を生成させるための第１のコンピュータ可読プログラムコードと、
該プロセッサに、複数のソーシャルネットワーキングコミュニティにそれぞれ対応する複数のコミュニティ識別子を生成させるための第２のコンピュータ可読プログラムコードと、
該プロセッサに、複数の中核ユーザメンバー識別子にそれぞれ対応する複数の中核プロファイルを記憶させるための第３のコンピュータ可読プログラムコードであって、該複数の中核プロファイルの各々は、コミュニティ情報、友達情報、およびコンテンツ情報を含む、第３のコンピュータ可読プログラムコードと
を備え、
該コミュニティ情報は、該複数のコミュニティ識別子のうちの１つ以上を含み、
該友達情報は、該複数の中核ユーザメンバー識別子のうちの１つ以上を含み、
該コンテンツ情報は、複数のコンテンツアイテムの各々に関連するそれぞれのメタデータを含む、
コンピュータシステム。
（項目４６）
ソーシャルネットワーキングコミュニティ内で共有されるコンテンツアイテムのフィードを作成する方法であって、
フィードを作成するリクエストをサーバで受信するステップであって、該リクエストは、ソーシャルネットワーキングコミュニティの登録メンバーから受信される、ステップと、
該フィードを提示するための情報を該サーバで受信するステップであって、該情報は、タイトル、視覚的アイコン、説明およびフラグのうちの少なくとも１つを含む、ステップと、
該サーバによりアクセス可能なデータベースに、該フィードを提示するための該情報を記憶するステップと、
該フィードにコンテンツアイテムを追加する複数のリクエストを該サーバで受信するステップであって、該複数のリクエストは、テキストコンテンツアイテム、ビデオコンテンツアイテム、オーディオコンテンツアイテム、および写真コンテンツアイテム、のうちの１つ以上の任意の組み合わせを含む、ステップと、
該データベースに、該フィードと関連し、かつ該登録メンバーと関連して、該複数のリクエストに含まれる各コンテンツアイテムを記憶するステップであって、各コンテンツアイテムは、該ソーシャルネットワーキングコミュニティへの訪問者が体験するための所望のコンテンツを産出するように該サーバにより使用可能である、ステップと、
各コンテンツアイテムに対して、タイトル、視覚的アイコン、説明、およびフラグのうち少なくとも１つを表示する、フィード提示を含むウェブページを提供するステップと
を含む、方法。
（項目４７）
上記フィードは、コミュニティフィードであって、
該コミュニティフィードを作成する上記リクエストは、上記ソーシャルネットワーキングコミュニティの登録発行元メンバーから受信される、
項目４６に記載の方法。
（項目４８）
上記フィードは、ユーザメンバーフィードであって、
該ユーザメンバーフィードを作成する上記リクエストは、上記ソーシャルネットワーキングコミュニティの登録ユーザメンバーから受信される、
項目４６に記載の方法。
（項目４９）
少なくとも１つのコンテンツアイテムは、上記訪問者が体験するための所望のコンテンツを産出する外部サーバへのリンク、友達ユーザメンバーに関連するサムネイル画像、友達ユーザメンバーに関連する表示名、プレイリスト、フォトアルバム、または音楽アルバムである、項目４６に記載の方法。
（項目５０）
上記ソーシャルネットワーキングコミュニティに対応する複数のコミュニティフィードを提示するための情報を上記データベースに記憶するステップをさらに含む、項目４７に記載の方法。
（項目５１）
上記フィードの各コンテンツアイテムに対して、指定のカテゴリに属するユーザが上記コンテンツアイテムを体験することを許容されているかどうかを決定するために使用されるフラグを、上記データベースに記憶するステップをさらに含む、項目４６に記載の方法。
（項目５２）
上記フィードの各コンテンツアイテムに対して、登録メンバーが上記コンテンツアイテムを共有することを許容されているかどうかを決定するために使用されるフラグを、上記データベースに記憶するステップをさらに含む、項目４６に記載の方法。
（項目５３）
上記ウェブページ内にマルチメディアレンダラを提供するステップであって、該マルチメディアレンダラは、ユーザが上記コンテンツアイテムを体験し得るように、上記フィードのコンテンツアイテムを処理するように構成される、ステップをさらに含む、項目４６に記載の方法。
（項目５４）
上記フィードのコンテンツアイテムのタイトル、視覚的アイコン、または説明が選択されると、該フィードからの情報を外部マルチメディアレンダラに転送するステップをさらに含む、項目４６に記載の方法。
（項目５５）
コンテンツアイテムを更新されたバージョンの該コンテンツアイテムと置き換えることにより、上記データベースに記憶された該コンテンツアイテムを更新するステップをさらに含む、項目４６に記載の方法。
（項目５６）
コンテンツアイテムを追加する上記複数のリクエストのうちの１つを上記サーバで受信させる、ブックマークレットを提供するステップをさらに含む、項目４６に記載の方法。
（項目５７）
上記ウェブページは、上記ソーシャルネットワーキングコミュニティのコミュニティ待ち受けウェブページに対応する、項目４７に記載の方法。
（項目５８）
上記ウェブページは、上記ソーシャルネットワーキングコミュニティのコミュニティフィードウェブページに対応する、項目４７に記載の方法。
（項目５９）
上記ウェブページは、上記ソーシャルネットワーキングコミュニティの上記登録ユーザのユーザメンバープロファイルウェブページに対応する、項目４８に記載の方法。
（項目６０）
上記フィードのコンテンツアイテムを整理するリクエストを受信するステップであって、該リクエストは、該コンテンツアイテムを削除する命令、または該コンテンツアイテムに関連する視覚的レイアウトを特定する命令を含む、ステップと、
該リクエストに基づいて該フィードを更新するステップと、
該更新されたフィードを記憶するステップと
をさらに含む、項目４６に記載の方法。
（項目６１）
プロセッサと、該プロセッサにソーシャルネットワーキングコミュニティのネットワーク内で共有されるコンテンツアイテムのフィードを作成させるための制御論理を記憶するメモリとを含むコンピュータシステムであって、該制御論理は、
該プロセッサに、フィードを作成するリクエストをサーバで受信させるための第１のコンピュータ可読プログラムコードであって、該リクエストは、ソーシャルネットワーキングコミュニティの登録メンバーから受信される、第１のコンピュータ可読プログラムコードと、
該プロセッサに、該フィードを提示するための情報を該サーバで受信させるための第２のコンピュータ可読プログラムコードであって、該情報は、タイトル、視覚的アイコン、説明およびフラグのうちの少なくとも１つを含む、第２のコンピュータ可読プログラムコードと、
該プロセッサに、該フィードを提示するための該情報を、該サーバによりアクセス可能なデータベースに記憶させるための第３のコンピュータ可読プログラムコードと、
該プロセッサに、該フィードにコンテンツアイテムを追加する複数のリクエストを該サーバで受信させるための第４のコンピュータ可読プログラムであって、該複数のリクエストは、テキストコンテンツアイテム、ビデオコンテンツアイテム、オーディオコンテンツアイテム、および写真コンテンツアイテム、のうちの１つ以上の任意の組み合わせを含む、第４のコンピュータ可読プログラムと、
該プロセッサに、該複数のリクエストに含まれる各コンテンツアイテムを、該データベースに、該フィードと関連し、かつ該登録メンバーと関連して記憶させるための第５のコンピュータ可読プログラムコードであって、各コンテンツアイテムは、該ソーシャルネットワーキングコミュニティへの訪問者が体験する所望のコンテンツを産出するように該サーバにより使用可能である、第５のコンピュータ可読プログラムコードと、
該プロセッサに、各コンテンツアイテムに対して、発明の名称、視覚的アイコン、説明、およびフラグのうちの少なくとも１つを表示する、フィード提示を含むウェブページを提供させるための第６のコンピュータ可読プログラムコードと
を備える、
コンピュータシステム。